Podtech/llm-jp-corpus-v4-ja_patent huggingface dataset:
【手続補正書】
【提出日】平成29年1月11日(2017.1.11)
【手続補正１】
【補正対象書類名】明細書
【補正対象項目名】０００１
【補正方法】変更
【補正の内容】
【０００１】
本発明は、遊技領域に向けて遊技球を打ち込み、遊技領域において打ち込まれた遊技球を転動流下させることで遊技を行う遊技機に関する。
【手続補正２】
【補正対象書類名】明細書
【補正対象項目名】０００２
【補正方法】変更
【補正の内容】
【０００２】
遊技領域に向けて遊技球を打ち込み、遊技領域において打ち込まれた遊技球を転動流下させることで遊技を行う遊技機（例えば、所謂パチンコ機）が広く知られている。このような遊技機の遊技盤には、入賞口（始動口や大入賞口や普通入賞口等）への遊技球の入賞を検出する入賞検出センサや、遊技盤に対する不正な遊技行為を検出するためのセンサ（例えば、振動検出センサや磁気検出センサ）などの検出センサが多数配設されている（例えば、特許文献１）。
遊技機では、検出センサは遊技領域内の複数箇所（例えば、始動口、入賞口、大入賞口、アウト口等の近傍にそれぞれ配置させる）を設置対象とする事情がある。そのため、検出センサと検出センサからの検出信号を検出する検出回路部（例えば、パネル中継基板のトランジスタ等）との電気的接続にはコネクタ部材を用いて接続することが一般的に行われている。
【手続補正３】
【補正対象書類名】明細書
【補正対象項目名】０００３
【補正方法】変更
【補正の内容】
【０００３】
【特許文献１】特開２００９−１６５６７３号公報
【手続補正４】
【補正対象書類名】明細書
【補正対象項目名】０００４
【補正方法】変更
【補正の内容】
【０００４】
ところで、コネクタ部材によって信号伝達を行っている場合、コネクタ部材が腐食したり、コネクタ接続部分に塵埃が入り込むと、接触抵抗が発生する。また、コネクタ部材に振動が加わる場合も同様に接触抵抗が発生する。例えば、右打ちをして遊技しているとき等、多数の遊技球が連続的に集中して流下する遊技領域の特定部分からの振動がコネクタ部材に加わった場合、これによって接触抵抗が発生する虞がある。
このようなことが原因となって発生した接触抵抗に電流が流れると、接触抵抗の上流側の電位が持ち上がってしまい、本来の正常な状態とは異なる異常な電圧が検知回路部に入り込む虞がある。即ち、検出センサの信号を誤検知する虞がある。
【手続補正５】
【補正対象書類名】明細書
【補正対象項目名】０００５
【補正方法】変更
【補正の内容】
【０００５】
本発明は、上記の事情に鑑みてなされたものであり、その目的は、接触抵抗による検出センサからの信号の誤検知を防止できる遊技機を提供することにある。
【手続補正６】
【補正対象書類名】明細書
【補正対象項目名】０００６
【補正方法】変更
【補正の内容】
【０００６】
所定位置に配置された検出センサ部と、
前記検出センサ部が第１の状態のときは第１の電圧とする一方、前記検出センサ部が第２の状態のときは前記第１の電圧よりも低い電圧である第２の電圧とする電圧出力部と、
前記電圧出力部からの前記第１の電圧または前記第２の電圧に対応して検出信号の出力のオンオフを切り換える検知回路部と、を備えた遊技機において、
前記検出センサ部と前記電圧出力部とがコネクタ部材を介して電気的に接続され、
前記コネクタ部材に起因する前記第２の電圧よりも高く前記第１の電圧よりも低い所定の電圧が印加されても、前記検知回路部に対する前記所定の電圧による作用を回避する電圧かさ上げ部が備えられ、
前記検出センサ部は、遊技機の異常を検出するための異常検出センサであり、
前記検知回路部は、
前記電圧出力部が、前記第１の電圧よりも低い電圧である第２の電圧、又は、前記コネクタ部材に起因する前記第２の電圧よりも高く前記第１の電圧よりも低い所定の電圧とされた場合には、前記検出信号の出力をオフし、
前記検出センサ部が前記検知回路部に対して断線した場合には、前記第１の電圧とされて前記検出信号の出力をオンする
ことを特徴とする。
【手続補正７】
【補正対象書類名】明細書
【補正対象項目名】０００７
【補正方法】変更
【補正の内容】
【０００７】
本発明によれば、コネクタ部材の接触抵抗が発生したときに起因する検出センサからの信号の誤検知を防止することができる。
【手続補正８】
【補正対象書類名】特許請求の範囲
【補正対象項目名】全文
【補正方法】変更
【補正の内容】
【特許請求の範囲】
【請求項１】
所定位置に配置された検出センサ部と、
前記検出センサ部が第１の状態のときは第１の電圧とする一方、前記検出センサ部が第２の状態のときは前記第１の電圧よりも低い電圧である第２の電圧とする電圧出力部と、
前記電圧出力部からの前記第１の電圧または前記第２の電圧に対応して検出信号の出力のオンオフを切り換える検知回路部と、を備えた遊技機において、
前記検出センサ部と前記電圧出力部とがコネクタ部材を介して電気的に接続され、
前記コネクタ部材に起因する前記第２の電圧よりも高く前記第１の電圧よりも低い所定の電圧が印加されても、前記検知回路部に対する前記所定の電圧による作用を回避する電圧かさ上げ部が備えられ、
前記検出センサ部は、遊技機の異常を検出するための異常検出センサであり、
前記検知回路部は、
前記電圧出力部が、前記第１の電圧よりも低い電圧である第２の電圧、又は、前記コネクタ部材に起因する前記第２の電圧よりも高く前記第１の電圧よりも低い所定の電圧とされた場合には、前記検出信号の出力をオフし、
前記検出センサ部が前記検知回路部に対して断線した場合には、前記第１の電圧とされて前記検出信号の出力をオンする
ことを特徴とする遊技機。
【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
複数のアームが関節によって接続された多関節アーム（３４）を有した多関節ロボット（３２）と、
医療行為を受ける患者の部位の実空間上での位置を表す施術位置を特定する位置特定手段（５０，Ｓ１８０）と、
前記位置特定手段で特定した施術位置の変位に基づく前記施術位置の状態が、異常を表すものとして予め規定された異常状態であるか否かを判定する異常判定手段（５０，Ｓ２００〜Ｓ２２０）と、
前記異常判定手段での判定の結果、前記施術位置の状態が前記異常状態であれば、前記医療行為の安全性を向上させる安全制御を実行する制御手段（５０，Ｓ２６０）と、
前記施術位置が移動する可能性のある空間上での範囲を表す位置可動範囲を設定する範囲設定手段（５０，Ｓ１４０）とを備え、
前記異常判定手段は、
前記位置特定手段で特定された施術位置を前記施術位置の状態とし、前記施術位置が、前記範囲設定手段で設定された位置可動範囲の外であれば、前記施術位置の状態が異常状態であるものと判定する、
医療行為支援装置（１）。
【請求項２】
前記範囲設定手段で設定された前記位置可動範囲の変更を受け付ける受付手段（５０，Ｓ１６０）と、
前記受付手段で受け付けた前記位置可動範囲の変更に従って、前記範囲設定手段で設定した位置可動範囲を更新する更新手段（５０，Ｓ１７０）とを備え、
前記範囲設定手段は、
前記更新手段によって更新された位置可動範囲を、新たな位置可動範囲として設定する、請求項１に記載の医療行為支援装置。
【請求項３】
複数のアームが関節によって接続された多関節アーム（３４）を有した多関節ロボット（３２）と、
医療行為を受ける患者の部位の実空間上での位置を表す施術位置を特定する位置特定手段（５０，Ｓ１８０）と、
前記位置特定手段で特定した施術位置の変位に基づく前記施術位置の状態が、異常を表すものとして予め規定された異常状態であるか否かを判定する異常判定手段（５０，Ｓ２００〜Ｓ２２０）と、
前記異常判定手段での判定の結果、前記施術位置の状態が前記異常状態であれば、前記医療行為の安全性を向上させる安全制御を実行する制御手段（５０，Ｓ２６０）とを備え、
前記位置特定手段は、前記施術位置を時間軸に沿って繰り返し特定し、
前記判定手段は、
前記位置特定手段で特定された前記施術位置の推移に従って、前記施術位置の揺らぎを前記施術位置の状態として特定し、その特定した施術位置の揺らぎが、予め規定された第１閾値以上であれば、前記施術位置の状態が前記異常状態であるものと判定する、
医療行為支援装置。
【請求項４】
複数のアームが関節によって接続された多関節アーム（３４）を有した多関節ロボット（３２）と、
医療行為を受ける患者の部位の実空間上での位置を表す施術位置を特定する位置特定手段（５０，Ｓ１８０）と、
前記位置特定手段で特定した施術位置の変位に基づく前記施術位置の状態が、異常を表すものとして予め規定された異常状態であるか否かを判定する異常判定手段（５０，Ｓ２００〜Ｓ２２０）と、
前記異常判定手段での判定の結果、前記施術位置の状態が前記異常状態であれば、前記医療行為の安全性を向上させる安全制御を実行する制御手段（５０，Ｓ２６０）とを備え、
前記位置特定手段は、前記施術位置を時間軸に沿って繰り返し特定し、
前記判定手段は、
前記位置特定手段で特定された前記施術位置の推移に従って、前記施術位置の加速度を前記施術位置の状態として特定し、その特定した施術位置の加速度が、予め規定された第２閾値以上であれば、前記施術位置の状態が前記異常状態であるものと判定する、
医療行為支援装置。
【請求項５】
前記制御手段は、
前記施術位置の状態が前記異常状態であることを報知することを、前記安全制御として実行する、
請求項１から請求項４までのいずれか一項に記載の医療行為支援装置。
【請求項６】
前記制御手段は、
前記多関節アームの先端部分の移動を停止することを、前記安全制御として実行する、
請求項１から請求項５までのいずれか一項に記載の医療行為支援装置。
【手続補正書】
【提出日】平成29年6月9日(2017.6.9)
【手続補正１】
【補正対象書類名】明細書
【補正対象項目名】０００６
【補正方法】変更
【補正の内容】
【０００６】
上記課題を解決するため、請求項１に記載の発明は、
パルプ及び水溶性バインダーとしてＣＭＣを含有する実質的に水分散可能な複数プライの原紙シートに水性薬剤が含浸され、
シートの表面と裏面とのうち少なくとも何れか一方の面全体に亘って凸部のエンボスが形成された水解性シートであって、
複数プライの目付が３０〜１５０ｇｓｍであり、
前記凸部のエンボスは天面部分の面積が１０〜３０ｍｍ２であり、
水平に保たれた所定のタイルの上に当該水解性シートを４枚重ねて置き、さらに当該水解性シートの上に重さ１ｋｇの重りを載せ、当該水解性シートの一端より水平方向に荷重をかけ、当該水解性シートを６秒間で６０ｍｍ移動させたときの荷重を測定し、このときの最大荷重を摩擦力として測定する摩擦力測定をＭＤ方向、ＣＤ方向で各５回実施し、それぞれ各所定回数の測定値の平均を算出し、それぞれの平均値が４．５Ｎ以上であることを特徴とする。
【手続補正２】
【補正対象書類名】特許請求の範囲
【補正対象項目名】請求項１
【補正方法】変更
【補正の内容】
【請求項１】
パルプ及び水溶性バインダーとしてＣＭＣを含有する実質的に水分散可能な複数プライの原紙シートに水性薬剤が含浸され、
シートの表面と裏面とのうち少なくとも何れか一方の面全体に亘って凸部のエンボスが形成された水解性シートであって、
複数プライの目付が３０〜１５０ｇｓｍであり、
前記凸部のエンボスは天面部分の面積が１０〜３０ｍｍ２であり、
水平に保たれた所定のタイルの上に当該水解性シートを４枚重ねて置き、さらに当該水解性シートの上に重さ１ｋｇの重りを載せ、当該水解性シートの一端より水平方向に荷重をかけ、当該水解性シートを６秒間で６０ｍｍ移動させたときの荷重を測定し、このときの最大荷重を摩擦力として測定する摩擦力測定をＭＤ方向、ＣＤ方向で各５回実施し、それぞれ各所定回数の測定値の平均を算出し、それぞれの平均値が４．５Ｎ以上であることを特徴とする水解性シート。
【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
リード部を有した複数の実装用電子部品を用いて遊技にかかる制御が実行されうる特定制御部を備え、遊技に応じた演出表示にて特別の表示態様が現れた場合、特典の付与が行われうる遊技機であって、
前記複数の実装用電子部品には、ディスクリート部品と集積回路部品とが含まれており、
前記特定制御部には、実装用電子部品に設けられたリード部が基板内に挿入されるかたちで実装された挿入実装領域と、実装用電子部品に設けられたリード部が基板の表面上に置かれるかたちで実装された表面実装領域とが設けられており、
さらに、
前記特定制御部は、
前記挿入実装領域と前記表面実装領域とのうち前記表面実装領域が形成されて該表面実装領域に前記複数の実装用電子部品のうち一の種類のディスクリート部品のみが実装された特定基板
を有しており、
前記特定基板は、
当該特定基板から外側へと延びてこれとは別の基板上に設けられている前記挿入実装領域に挿入可能とされるように形成された特殊挿入実装用リード部を有しており、該特殊挿入実装用リード部が前記挿入実装領域に挿入されることで、前記別の基板上に設けられている前記挿入実装領域に実装された実装用電子部品との間で前記一の種類のディスクリート部品が電気的に接続されるようになっており、
さらに、
前記特定基板の特殊挿入実装用リード部は、
前記別の基板上に設けられている前記挿入実装領域のうち、該挿入実装領域に実装されている第一実装用電子部品と第二実装用電子部品との間となる位置に挿入されており、
さらに、
前記特殊挿入実装用リード部が前記挿入実装領域に挿入された状態での前記特定基板としての高さは、前記挿入実装領域に実装された実装用電子部品のうち最も高い実装用電子部品よりも低く、且つ前記挿入実装領域に実装された実装用電子部品のうち最も低い実装用電子部品よりも高い
ことを特徴とする遊技機。
【手続補正２】
【補正対象書類名】明細書
【補正対象項目名】０００５
【補正方法】変更
【補正の内容】
【０００５】
しかしながら、このような遊技機では、遊技興趣が低下しうる。
【手続補正３】
【補正対象書類名】明細書
【補正対象項目名】０００７
【補正方法】変更
【補正の内容】
【０００７】
手段１：リード部を有した複数の実装用電子部品を用いて遊技にかかる制御が実行されうる特定制御部を備え、遊技に応じた演出表示にて特別の表示態様が現れた場合、特典の付与が行われうる遊技機であって、
前記複数の実装用電子部品には、ディスクリート部品と集積回路部品とが含まれており、
前記特定制御部には、実装用電子部品に設けられたリード部が基板内に挿入されるかたちで実装された挿入実装領域と、実装用電子部品に設けられたリード部が基板の表面上に置かれるかたちで実装された表面実装領域とが設けられており、
さらに、
前記特定制御部は、
前記挿入実装領域と前記表面実装領域とのうち前記表面実装領域が形成されて該表面実装領域に前記複数の実装用電子部品のうち一の種類のディスクリート部品のみが実装された特定基板
を有しており、
前記特定基板は、
当該特定基板から外側へと延びてこれとは別の基板上に設けられている前記挿入実装領域に挿入可能とされるように形成された特殊挿入実装用リード部を有しており、該特殊挿入実装用リード部が前記挿入実装領域に挿入されることで、前記別の基板上に設けられている前記挿入実装領域に実装された実装用電子部品との間で前記一の種類のディスクリート部品が電気的に接続されるようになっており、
さらに、
前記特定基板の特殊挿入実装用リード部は、
前記別の基板上に設けられている前記挿入実装領域のうち、該挿入実装領域に実装されている第一実装用電子部品と第二実装用電子部品との間となる位置に挿入されており、
さらに、
前記特殊挿入実装用リード部が前記挿入実装領域に挿入された状態での前記特定基板としての高さは、前記挿入実装領域に実装された実装用電子部品のうち最も高い実装用電子部品よりも低く、且つ前記挿入実装領域に実装された実装用電子部品のうち最も低い実装用電子部品よりも高い
ことを特徴とする遊技機。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
リード部を有した複数の実装用電子部品を用いて遊技にかかる制御が実行されうる特定制御部を備え、遊技に応じた演出表示にて特別の表示態様が現れた場合、特典の付与が行われうる遊技機であって、
前記複数の実装用電子部品には、ディスクリート部品と集積回路部品とが含まれており、
前記特定制御部には、実装用電子部品に設けられたリード部が基板内に挿入されるかたちで実装された挿入実装領域と、実装用電子部品に設けられたリード部が基板の表面上に置かれるかたちで実装された表面実装領域とが設けられており、
さらに、
前記特定制御部は、
前記挿入実装領域と前記表面実装領域とのうち前記表面実装領域が形成されて該表面実装領域に前記複数の実装用電子部品のうち一の種類のディスクリート部品のみが実装された特定基板
を有しており、
前記一の種類のディスクリート部品は、その実装対象とされる前記特定基板共々にモールドされてなる
ことを特徴とする遊技機。
【手続補正２】
【補正対象書類名】明細書
【補正対象項目名】０００５
【補正方法】変更
【補正の内容】
【０００５】
しかしながら、このような遊技機では、遊技興趣が低下しうる。
【手続補正３】
【補正対象書類名】明細書
【補正対象項目名】０００７
【補正方法】変更
【補正の内容】
【０００７】
手段１：リード部を有した複数の実装用電子部品を用いて遊技にかかる制御が実行されうる特定制御部を備え、遊技に応じた演出表示にて特別の表示態様が現れた場合、特典の付与が行われうる遊技機であって、
前記複数の実装用電子部品には、ディスクリート部品と集積回路部品とが含まれており、
前記特定制御部には、実装用電子部品に設けられたリード部が基板内に挿入されるかたちで実装された挿入実装領域と、実装用電子部品に設けられたリード部が基板の表面上に置かれるかたちで実装された表面実装領域とが設けられており、
さらに、
前記特定制御部は、
前記挿入実装領域と前記表面実装領域とのうち前記表面実装領域が形成されて該表面実装領域に前記複数の実装用電子部品のうち一の種類のディスクリート部品のみが実装された特定基板
を有しており、
前記一の種類のディスクリート部品は、その実装対象とされる前記特定基板共々にモールドされてなる
ことを特徴とする遊技機。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
リード部を有した複数の実装用電子部品を用いて遊技にかかる制御が実行されうる特定制御部を備え、遊技に応じた演出表示にて特別の表示態様が現れた場合、特典を付与しうる遊技機であって、
前記特定制御部は、
実装用電子部品のうち挿入実装部品に設けられた挿入実装用リード部が挿入されるかたちで実装される挿入実装領域が形成された第１基板と、
実装用電子部品のうち表面実装部品に設けられた表面実装用リード部が表面上に置かれるかたちで実装される表面実装領域が形成された第２基板と
を有しており、
前記第２基板は、前記第１基板よりも小さくなっており、
さらに、
前記第２基板は、当該第２基板から外側へと延びて前記第１基板の挿入実装領域に挿入可能とされるように形成された特殊挿入実装用リード部を有しており、
前記第２基板の表面実装領域に実装される表面実装部品は、当該表面実装部品これ自体がモールド樹脂によってモールドされてなるものであるにもかかわらず、その実装対象とされる前記第２基板共々にさらに別のモールド樹脂によってモールドされた１つの電子部品として、前記第１基板の挿入実装領域に対して前記特殊挿入実装用リード部が挿入されることで、前記第１基板上に実装される挿入実装部品との間で電気的に接続される
ことを特徴とする遊技機。
【手続補正２】
【補正対象書類名】明細書
【補正対象項目名】０００７
【補正方法】変更
【補正の内容】
【０００７】
手段１：リード部を有した複数の実装用電子部品を用いて遊技にかかる制御が実行されうる特定制御部を備え、遊技に応じた演出表示にて特別の表示態様が現れた場合、特典を付与しうる遊技機であって、
前記特定制御部は、
実装用電子部品のうち挿入実装部品に設けられた挿入実装用リード部が挿入されるかたちで実装される挿入実装領域が形成された第１基板と、
実装用電子部品のうち表面実装部品に設けられた表面実装用リード部が表面上に置かれるかたちで実装される表面実装領域が形成された第２基板と
を有しており、
前記第２基板は、前記第１基板よりも小さくなっており、
さらに、
前記第２基板は、当該第２基板から外側へと延びて前記第１基板の挿入実装領域に挿入可能とされるように形成された特殊挿入実装用リード部を有しており、
前記第２基板の表面実装領域に実装される表面実装部品は、当該表面実装部品これ自体がモールド樹脂によってモールドされてなるものであるにもかかわらず、その実装対象とされる前記第２基板共々にさらに別のモールド樹脂によってモールドされた１つの電子部品として、前記第１基板の挿入実装領域に対して前記特殊挿入実装用リード部が挿入されることで、前記第１基板上に実装される挿入実装部品との間で電気的に接続される
ことを特徴とする遊技機。
【手続補正書】
【提出日】平成29年2月20日(2017.2.20)
【手続補正１】
【補正対象書類名】特許請求の範囲
【補正対象項目名】全文
【補正方法】変更
【補正の内容】
【特許請求の範囲】
【請求項１】
放射線を照射して被写体の動態を示す複数のフレーム画像を撮影する撮影部と、
撮影中の前記被写体の動態を検出し、その検出情報を生成する検出部と、
前記検出部で生成される検出情報に基づいて、撮影中の前記動態の変化が予め定められた範囲内であるか否かを判定する変化判定部と、
前記変化判定部による判定結果に応じて前記撮影部により撮影されたフレーム画像の取り込みを制御する制御部と、
を備える放射線撮影システム。
【請求項２】
前記変化判定部は、前記検出部で生成される検出情報に基づいて、前記動態の位相変化が予め定められた範囲内であるか否かを判定する請求項１に記載の放射線撮影システム。
【請求項３】
前記制御部は、前記変化判定部により前記動態の変化が予め定められた範囲内ではないと判定された場合に、その判定されたときの前記動態の位相に対応するフレーム画像までの一連のフレーム画像を破棄し、その後に前記変化判定部により前記動態の変化が予め定められた範囲内であると判定されたときの前記動態の位相に対応するフレーム画像から取り込みを行う請求項１又は２に記載の放射線撮影システム。
【請求項４】
前記制御部は、前記変化判定部により前記動態の変化が予め定められた範囲内ではないと判定された場合に、その判定されたときの前記動態の位相に対応するフレーム画像を破棄し、前記破棄されたフレーム画像の後に撮影されたフレーム画像であって、前記破棄されたフレーム画像に対応する前記位相と同位相の、前記動態の変化が予め定められた範囲内であると判定されたときのフレーム画像を、前記破棄されたフレーム画像の直前のフレーム画像に自動的に連結する請求項１又は２に記載の放射線撮影システム。
【請求項５】
連結するフレーム画像を指示するための連結指示情報を入力する操作部を備え、
前記制御部は、前記変化判定部により前記動態の変化が予め定められた範囲内ではないと判定された場合に、その判定されたときの前記動態の位相に対応するフレーム画像を破棄し、前記操作部から入力された連結指示情報に基づいて、前記破棄されたフレーム画像以外のフレーム画像を連結する請求項１又は２に記載の放射線撮影システム。
【請求項６】
撮影により取得すべき動態の位相幅及び前記撮影部により撮影済みの動態の位相幅を同時に表示する表示部を備える請求項４又は５に記載の放射線撮影システム。
【請求項７】
撮影により取得すべき動態の全位相のフレーム画像が揃っていない場合に、撮影者に対して撮影継続を誘導する情報を出力する出力部を備える請求項４又は５に記載の放射線撮影システム。
【請求項８】
撮影により取得すべき動態の全位相幅が揃っていない場合に、次工程への移行操作が不可である旨を通知する情報を出力する出力部を備える請求項４又は５に記載の放射線撮影システム。
【請求項９】
撮影により取得すべき動態の全位相幅が揃った場合に、その旨を報知する情報を出力する出力部を備える請求項４又は５に記載の放射線撮影システム。
【請求項１０】
放射線を照射して被写体の動態を示す複数のフレーム画像を撮影する撮影部と、
撮影中の前記被写体の動態を検出し、その検出情報を生成する検出部と、
前記複数のフレーム画像のうち連結するフレーム画像を指示するための連結指示情報を入力する操作部と、
前記操作部から入力された連結指示情報に基づいて、前記指示されたフレーム画像を連結する制御部と、
を備える放射線撮影システム。
【請求項１１】
放射線を照射して被写体の動態を示す複数のフレーム画像を撮影する撮影部と、
撮影中の前記被写体の動態を検出し、その検出情報を生成する検出部と、
前記検出部で生成される検出情報に基づいて、撮影中の前記動態の変化が予め定められた範囲内であるか否かを判定する変化判定部と、
前記複数のフレーム画像のうち連結するフレーム画像を指示するための連結指示情報を入力する操作部と、
前記変化判定部により前記動態の変化が予め定められた範囲内ではないと判定された場合に、その判定されたときの前記動態の位相に対応するフレーム画像を破棄し、前記操作部から入力された連結指示情報に基づいて、前記破棄されたフレーム画像以外の前記指示されたフレーム画像を連結する制御部と、
を備える放射線撮影システム。
【請求項１２】
放射線を照射して被写体の動態を示す複数のフレーム画像を撮影する撮影装置を制御する放射線撮影制御装置であって、
撮影中の前記被写体の動態を検出し、その検出情報を生成する検出部と、
前記検出部で生成される検出情報に基づいて、撮影中の前記動態の変化が予め定められた範囲内であるか否かを判定する変化判定部と、
前記変化判定部による判定結果に応じて前記撮影装置により撮影されたフレーム画像の取り込みを制御する制御部と、
を備える放射線撮影制御装置。
【手続補正２】
【補正対象書類名】明細書
【補正対象項目名】００１７
【補正方法】変更
【補正の内容】
【００１７】
請求項９に記載の発明は、請求項４又は５に記載の発明において、
撮影により取得すべき動態の全位相幅が揃った場合に、その旨を報知する情報を出力する出力部を備える。
請求項１０に記載の発明の放射線撮影システムは、
放射線を照射して被写体の動態を示す複数のフレーム画像を撮影する撮影部と、
撮影中の前記被写体の動態を検出し、その検出情報を生成する検出部と、
前記複数のフレーム画像のうち連結するフレーム画像を指示するための連結指示情報を入力する操作部と、
前記操作部から入力された連結指示情報に基づいて、前記指示されたフレーム画像を連結する制御部と、
を備える。
請求項１１に記載の放射線撮影システムは、
放射線を照射して被写体の動態を示す複数のフレーム画像を撮影する撮影部と、
撮影中の前記被写体の動態を検出し、その検出情報を生成する検出部と、
前記検出部で生成される検出情報に基づいて、撮影中の前記動態の変化が予め定められた範囲内であるか否かを判定する変化判定部と、
前記複数のフレーム画像のうち連結するフレーム画像を指示するための連結指示情報を入力する操作部と、
前記変化判定部により前記動態の変化が予め定められた範囲内ではないと判定された場合に、その判定されたときの前記動態の位相に対応するフレーム画像を破棄し、前記操作部から入力された連結指示情報に基づいて、前記破棄されたフレーム画像以外の前記指示されたフレーム画像を連結する制御部と、
を備える。
【手続補正３】
【補正対象書類名】明細書
【補正対象項目名】００１８
【補正方法】変更
【補正の内容】
【００１８】
請求項１２に記載の発明は、
放射線を照射して被写体の動態を示す複数のフレーム画像を撮影する撮影装置を制御する放射線撮影制御装置であって、
撮影中の前記被写体の動態を検出し、その検出情報を生成する検出部と、
前記検出部で生成される検出情報に基づいて、撮影中の前記動態の変化が予め定められた範囲内であるか否かを判定する変化判定部と、
前記変化判定部による判定結果に応じて前記撮影装置により撮影されたフレーム画像の取り込みを制御する制御部と、
を備える。
【手続補正書】
【提出日】平成28年11月18日(2016.11.18)
【手続補正１】
【補正対象書類名】明細書
【補正対象項目名】０１０８
【補正方法】変更
【補正の内容】
【０１０８】
「ＡＴ状態」の演出状態としては、「ＡＲＴ準備状態」、「ＡＲＴ状態」とがある。
「ＡＲＴ準備状態」は、遊技状態が、図１１の「ＲＴ１」及び「ＲＴ２」である場合の「ＡＴ状態」であり、「ＲＴ１」の状態で、「ＲＴ２」への移行図柄、例えば「昇格リプレイ１」に当選した場合には、当該「昇格リプレイ１」に対応したストップスイッチ50の押し順が報知される。そして、当該報知に従ってストップスイッチ50が操作された場合には、「ＲＴ２」に移行するものの、「ＡＲＴ準備状態」を継続するが、「ＲＴ２」の状態で、「ＲＴ３」への移行図柄、例えば「昇格リプレイ２」に当選した場合には、当該「昇格リプレイ２」に対応したストップスイッチ50の押し順が報知される。そして、当該報知に従ってストップスイッチ50が操作された場合には、「ＡＲＴ状態」に移行する。
【手続補正２】
【補正対象書類名】明細書
【補正対象項目名】０１０９
【補正方法】変更
【補正の内容】
【０１０９】
（ＡＲＴ状態）
「ＡＲＴ状態」の演出状態としては、「ＡＲＴ通常状態」、「上乗せ状態」とがある。
「ＡＲＴ状態」は、「通常状態」より遊技者に有利な遊技である。当該「ＡＲＴ状態」に移行すると、当選した小役の押し順が報知される遊技であるＡＴと、ＲＴ３とが開始され、報知された押し順に従ってストップスイッチ50を操作することで、当選した小役の図柄の組み合わせを停止表示させることができる。このため、成立した小役に対応する所定枚数のメダルが払い出される。
【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
ディスプレイスクリーンと、コンピュータプログラムを実行するよう動作可能なコンピューティングハードウェアとを含む電子デバイスであって、前記コンピュータプログラムが、前記コンピューティングハードウェアで実行されると、前記電子デバイスを軍事ゲーム機器として構成するようにプログラムされる、電子デバイスにおいて、前記コンピュータプログラムは、前記コンピューティングハードウェアで実行されると、前記電子デバイスに、
グラフィカル・ユーザインターフェースを生成して前記ディスプレイスクリーンに前記グラフィカル・ユーザインターフェースをレンダリングすることと；
第１ビューを前記グラフィカル・ユーザインターフェースに表示することと；
ユーザ選択可能な１つ以上のグラフィカル・オブジェクトを、前記グラフィカル・ユーザインターフェースに表示することと；
前記ユーザ選択可能な１つ以上のグラフィカル・オブジェクトのうち、前記グラフィカル・ユーザインターフェースの前記第１ビューにおいて展開される１つのグラフィカル・オブジェクトのユーザ選択を検出することと；
前記第１ビューの展開地点のユーザ選択を検出することと；
前記展開地点に基づいて、前記１つのグラフィカル・オブジェクトの、前記グラフィカル・ユーザインターフェースの前記第１ビューへの展開を実行し、さらに別のグラフィカル・オブジェクトのセットが、前記展開されたグラフィカル・オブジェクトから出て、前記展開地点の付近にある１つ以上のエリアから前記第１ビューに入るようにすることと；
を遂行するように構成される、電子デバイス。
【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
図柄を変動表示させる図柄変動表示手段と、
遊技に係わる演出画像を記憶する記憶手段と、
該記憶手段に記憶される前記演出画像を表示装置に表示する制御を行う表示制御手段と、
遊技者が操作可能な操作手段と、
を備え、
前記表示制御手段は、前記操作手段による操作が行われたとき、当該操作に応じて前記記憶手段に記憶される前記演出画像を所定の順序に従って前記表示装置に表示させるとともに、所定の終了条件を満たすことにより前記演出画像の表示を終了し、
前記表示制御手段により表示された前記演出画像に関連した情報を記憶する情報記憶手段を備え、
前記表示制御手段は、
前記所定の終了条件を満たすことにより前記演出画像の表示を終了した後、前記操作手段による操作が行われた場合には、前記情報記憶手段に記憶された前記情報に基づいて前記演出画像を表示する制御を行い、
前記操作手段による操作が最後に行われた後、所定時間が経過したときに前記演出画像の表示を終了することを特徴とする遊技機。
【手続補正２】
【補正対象書類名】明細書
【補正対象項目名】０００６
【補正方法】変更
【補正の内容】
【０００６】
上記の課題を解決するために、本発明の第１の形態は、図柄を変動表示させる図柄変動表示手段と、遊技に係わる演出画像を記憶する記憶手段と、図柄を変動表示させる図柄変動表示手段と、遊技に係わる演出画像を記憶する記憶手段と、該記憶手段に記憶される前記演出画像を表示装置に表示する制御を行う表示制御手段と、遊技者が操作可能な操作手段と、を備え、前記表示制御手段は、前記操作手段による操作が行われたとき、当該操作に応じて前記記憶手段に記憶される前記演出画像を所定の順序に従って前記表示装置に表示させるとともに、所定の終了条件を満たすことにより前記演出画像の表示を終了し、前記表示制御手段により表示された前記演出画像に関連した情報を記憶する情報記憶手段を備え、前記表示制御手段は、前記所定の終了条件を満たすことにより前記演出画像の表示を終了した後、前記操作手段による操作が行われた場合には、前記情報記憶手段に記憶された前記情報に基づいて前記演出画像を表示する制御を行い、前記操作手段による操作が最後に行われた後、所定時間が経過したときに前記演出画像の表示を終了することを特徴とする。
【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
所定条件の成立に基づいて遊技者に有利な特別遊技を実行するか否かの特別遊技判定を行い、該特別遊技判定によって特別遊技を実行すると判定された場合は前記特別遊技を実行する遊技機であって、
前記特別遊技判定が行われた場合、該特別遊技判定の結果を報知するための報知演出を実行する報知演出実行手段と、
演出態様が異なる複数種類の演出モードのうちいずれかの演出モードにて遊技の演出を制御する演出モード制御手段と、
前記報知演出の実行中に遊技機に関する説明を行う説明演出を実行するか否かを決定する説明演出決定手段と、
前記報知演出の実行中に前記特別遊技が実行されるか否かを示唆する示唆演出を実行するか否かを決定する示唆演出決定手段と、
前記説明演出を実行すると決定された場合、前記説明演出を実行し、前記示唆演出を実行すると決定された場合、前記示唆演出を実行する演出実行手段と、を備え、
前記説明演出決定手段は、
前記複数種類の演出モードのうち、少なくとも第１演出モードにて遊技の演出が制御されている場合は、前記説明演出を実行するか否かを決定する、
ことを特徴とする遊技機。
【手続補正２】
【補正対象書類名】明細書
【補正対象項目名】０００６
【補正方法】変更
【補正の内容】
【０００６】
そこで、本発明は、説明演出により演出効果を高めることが可能な遊技機を提供することを目的とする。
【手続補正３】
【補正対象書類名】明細書
【補正対象項目名】０００７
【補正方法】変更
【補正の内容】
【０００７】
本発明にかかる遊技機は、所定条件の成立に基づいて遊技者に有利な特別遊技を実行するか否かの特別遊技判定を行い、該特別遊技判定によって特別遊技を実行すると判定された場合は前記特別遊技を実行する遊技機であって、前記特別遊技判定が行われた場合、該特別遊技判定の結果を報知するための報知演出を実行する報知演出実行手段と、演出態様が異なる複数種類の演出モードのうちいずれかの演出モードにて遊技の演出を制御する演出モード制御手段と、前記報知演出の実行中に遊技機に関する説明を行う説明演出を実行するか否かを決定する説明演出決定手段と、前記報知演出の実行中に前記特別遊技が実行されるか否かを示唆する示唆演出を実行するか否かを決定する示唆演出決定手段と、前記説明演出を実行すると決定された場合、前記説明演出を実行し、前記示唆演出を実行すると決定された場合、前記示唆演出を実行する演出実行手段と、を備え、前記説明演出決定手段は、前記複数種類の演出モードのうち、少なくとも第１演出モードにて遊技の演出が制御されている場合は、前記説明演出を実行するか否かを決定する、ことを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
本発明に係る遊技機によれば、説明演出により演出効果を高めることが可能な遊技機を提供することができる。
【手続補正書】
【提出日】平成28年11月16日(2016.11.16)
【手続補正１】
【補正対象書類名】明細書
【補正対象項目名】０００８
【補正方法】変更
【補正の内容】
【０００８】
上記目的を達成するため、本発明のガス系消火設備用の消音機能を有する噴射ヘッドは、消火剤ガスを使用するガス系消火設備において消火対象区画に消火剤ガスを放出するために設置される消音手段を備えた噴射ヘッドであって、前記消音手段を、消火剤ガスが供給される配管に螺合して接続された噴射ヘッドの内部にオリフィスを形成するとともに、オリフィスの出口部に消火剤ガスが流通可能な３次元の網目状組織からなる円筒又は円柱形状の金属多孔性の気流の乱れをなくす材料を、前記オリフィスの出口部の反対側の金属多孔性の材料の外面が面状に大気に露出、開放されてなるように配設して構成したことを特徴とする。
【手続補正２】
【補正対象書類名】特許請求の範囲
【補正対象項目名】全文
【補正方法】変更
【補正の内容】
【特許請求の範囲】
【請求項１】
消火剤ガスを使用するガス系消火設備において消火対象区画に消火剤ガスを放出するために設置される消音手段を備えた噴射ヘッドであって、前記消音手段を、消火剤ガスが供給される配管に螺合して接続された噴射ヘッドの内部にオリフィスを形成するとともに、オリフィスの出口部に消火剤ガスが流通可能な３次元の網目状組織からなる円筒又は円柱形状の金属多孔性の気流の乱れをなくす材料を、前記オリフィスの出口部の反対側の金属多孔性の材料の外面が面状に大気に露出、開放されてなるように配設して構成したことを特徴とするガス系消火設備用の消音機能を有する噴射ヘッド。
【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
半導体基板の主面に選択的に形成され、素子間分離層となるフィールド酸化膜と、
前記フィールド酸化膜の下層に形成され、ドリフト層となる第１の導電領域と、
前記フィールド酸化膜の近傍に前記第１の導電領域と電気的に接して形成された第１の給電領域と、
前記フィールド酸化膜を挟んで前記第１の給電領域の反対側に設けられた第２の給電領域と、
前記第２の給電領域と前記第１の導電領域の間に形成され、前記第１の導電領域と異なる第２の導電領域と、
前記第２の導電領域上に、ゲート酸化膜を介して、前記第２の導電領域と対向するように設けられたゲート電極と、を有する半導体装置であって、
前記第１の導電領域と電気的に接して形成され、前記第１の導電領域のドリフト抵抗値を測定するドリフトセンス領域を備えることを特徴とする半導体装置。
【請求項２】
請求項１に記載の半導体装置であって、
前記ドリフトセンス領域は、前記第１の導電領域に少なくとも２箇所以上に分割して形成されており、
各ドリフトセンス領域間に電位差を与えることで、前記第１の導電領域、或いは、前記第１の導電領域に含まれる所定の領域のドリフト抵抗値を測定することを特徴とする半導体装置。
【請求項３】
請求項１または２に記載の半導体装置であって、
前記ドリフトセンス領域は、前記第１の給電領域および前記第２の給電領域間の長手方向の端部に延在して設けられ、
前記第１の給電領域、前記第２の給電領域および前記ゲート電極に所定の電圧が供給されることで前記第１の導電領域内に流れるドリフト電流方向に対し垂直方向に対向して複数設けられていることを特徴とする半導体装置。
【請求項４】
請求項１または２に記載の半導体装置であって、
前記フィールド酸化膜を挟んで前記第１の導電領域に対向するようにフィールド電極が設けられていることを特徴とする半導体装置。
【請求項５】
請求項４に記載の半導体装置であって、
前記フィールド電極は、前記第１の給電領域、前記第２の給電領域、前記ゲート電極、前記ドリフトセンス領域と電気的に絶縁して設けられ、独立して給電制御が可能であることを特徴とする半導体装置。
【請求項６】
請求項１または２に記載の半導体装置であって、
前記第１の給電領域および前記第２の給電領域のいずれか一方に対し、少なくとも２つ以上の対となる領域を有し、繰り返し複数形成されていることを特徴とする半導体装置。
【請求項７】
請求項１または２に記載の半導体装置であって、
前記第１の導電領域はドレインドリフト層であり、
前記第２の導電領域、前記ゲート酸化膜、前記ゲート電極により電界効果トランジスタを構成するＬＤＭＯＳＦＥＴであることを特徴とする半導体装置。
【請求項８】
請求項１または２に記載の半導体装置であって、
前記第１の導電領域はコレクタドリフト層であり、
前記第２の導電領域、前記ゲート酸化膜、前記ゲート電極により絶縁ゲートバイポーラトランジスタを構成するＩＧＢＴであることを特徴とする半導体装置。
【請求項９】
請求項１または２に記載の半導体装置であって、
前記第１の導電領域はコレクタドリフト層であり、
前記第２の導電領域と前記第２の給電領域の間に、ベース層となる第３の導電領域をさらに備え、
前記第２の導電領域、前記第３の導電領域、前記ゲート酸化膜、前記ゲート電極によりバイポーラトランジスタを構成することを特徴とする半導体装置。
【請求項１０】
請求項１または２に記載の半導体装置であって、
前記第１の導電領域はカソードドリフト層であり、
前記第２の導電領域、前記ゲート酸化膜、前記ゲート電極によりダイオードを構成することを特徴とする半導体装置。
【請求項１１】
以下の工程を含む半導体装置の製造方法；
（ａ）半導体基板の主面に選択的にフィールド酸化膜を形成する工程、
（ｂ）前記フィールド酸化膜の下にドリフト層となる第１の導電領域を形成するためのイオン打ち込みを行う工程、
（ｃ）前記半導体基板の主面に選択的にゲート絶縁膜およびゲート電極を形成する工程、
（ｄ）前記ゲート絶縁膜によるセルフアラインで、前記半導体基板に第２の導電領域を形成するためのイオン打ち込みを行う工程、
（ｅ）前記フィールド酸化膜および前記ゲート電極によるセルフアラインで、前記第１の導電領域内に第１の給電領域および複数のドリフトセンス領域、前記第２の導電領域内に第２の給電領域を形成するためのイオン打ち込みを行う工程。
【請求項１２】
請求項１１に記載の半導体装置の製造方法であって、
前記（ｃ）工程において、前記フィールド酸化膜上にフィールド電極を形成することを特徴とする半導体装置の製造方法。
【請求項１３】
請求項１２に記載の半導体装置の製造方法であって、
前記フィールド電極は、前記ゲート電極と同じ材料で形成されていることを特徴とする半導体装置の製造方法。
【請求項１４】
並列に接続された複数の半導体装置と、
電圧値および電流値を比較するコンパレータと、
前記半導体装置の動作を制御する駆動回路と、を有する回路システムであって、
前記半導体装置は、当該半導体装置のドリフト層のドリフト抵抗値をモニタするドリフトセンス端子を備え、
前記コンパレータは、前記ドリフトセンス端子から得たドリフト抵抗値に基づき、前記駆動回路を介して、前記複数の半導体装置の動作を制御することを特徴とする回路システム。
【請求項１５】
請求項１４に記載の回路システムであって、
前記半導体装置は、当該半導体装置のフィールド酸化膜と電気的に接続されたフィールド電極端子をさらに備え、
前記コンパレータは、前記ドリフトセンス端子から得たドリフト抵抗値に基づき、前記駆動回路を介して、前記フィールド電極端子に電圧を印加することを特徴とする回路システム。
【手続補正２】
【補正対象書類名】明細書
【補正対象項目名】００２３
【補正方法】変更
【補正の内容】
【００２３】
また、本発明は、並列に接続された複数の半導体装置と、電圧値および電流値を比較するコンパレータと、前記半導体装置の動作を制御する駆動回路と、を有する回路システムであって、前記半導体装置は、当該半導体装置のドリフト層のドリフト抵抗値をモニタするドリフトセンス端子を備え、前記コンパレータは、前記ドリフトセンス端子から得たドリフト抵抗値に基づき、前記駆動回路を介して、前記複数の半導体装置の動作を制御することを特徴とする。
【手続補正書】
【提出日】平成29年6月20日(2017.6.20)
【手続補正１】
【補正対象書類名】明細書
【補正対象項目名】００４６
【補正方法】変更
【補正の内容】
【００４６】
図８は、製造途中（工程Ｐ１４４）にある半導体装置１００ｅの構成を模式的に示す断面図である。本実施形態では、製造者は、ウェットエッチングによって、絶縁膜１４０ｐの部位のうちコンタクトホール１４０ｈに相当する部位を、電極１３０ｐの上から除去する。これによって、製造者は、コンタクトホール１４０ｈを有する絶縁膜１４０が形成された半導体装置１００ｅを得る。他の実施形態において、コンタクトホール１４０ｈをソース電極１３０の外縁端より外側に形成する場合、製造者は、絶縁膜１４０ｐを形成する工程（工程Ｐ１４０）からコンタクトホール１４０ｈを形成する工程（工程Ｐ１４４）までの工程を、トレンチ１２８を形成する工程（工程Ｐ１２０）とソース電極１３０を形成する工程（工程Ｐ１３０）との間に実施してもよい。
【手続補正２】
【補正対象書類名】明細書
【補正対象項目名】００４８
【補正方法】変更
【補正の内容】
【００４８】
図９は、製造途中（工程Ｐ１５０）にある半導体装置１００ｆの構成を模式的に示す断面図である。本実施形態では、製造者は、アルミニウム（Ａｌ）から主に成る金属層１５０ｐを、スパッタリング（sputtering）によって形成する。これによって、製造者は、＋Ｚ軸方向側における表面の全域にわたって金属層１５０ｐが形成された半導体装置１００ｆを得る。
【手続補正３】
【補正対象書類名】明細書
【補正対象項目名】００８１
【補正方法】変更
【補正の内容】
【００８１】
第７実施形態の半導体装置１００Ｇは、リセス１２８Ｆが形成されていない点、絶縁膜１４０Ｆに代えて絶縁膜１４０Ｇを備える点、ゲート電極１５０Ｆに代えてゲート電極１５０Ｇを備える点を除き、第６実施形態の半導体装置１００Ｆと同様である。
【手続補正書】
【提出日】平成29年10月3日(2017.10.3)
【手続補正１】
【補正対象書類名】明細書
【補正対象項目名】００３１
【補正方法】変更
【補正の内容】
【００３１】
１：操作パネル、  ２：操作ハンドル、  ３：カム軸（カム）、
４：回動カム、  ４ａ：係合ピン、  ５：往復動リンク、  ５ａ：係合凹部、
５ｂ：側溝、  ５ｃ：係合溝、  ６：第１取付け金具、
７：第２取付け金具、  ７ａ：レール部、  ８：インターロックロッド、
８ａ：係合部（係合凹部又は係合孔）、  ９：インターロックロッド、
９ａ：係合部（係合凹部又は係合孔）、  １０：配線用遮断器、
１０ａ：開閉操作ノブ、  １１：扉、  １２：区画仕切り板、
１３：区画仕切り板、
１４ａ：配線用遮断器がＯＦＦのときのカム４とインターロックロッド８の支持点、
１４ｂ：配線用遮断器がＯＮのときのカム４とインターロックロッド８の支持点、
１５ａ：配線用遮断器がＯＦＦのときのカム４とインターロックロッド９の支持点、
１５ｂ：配線用遮断器がＯＮのときのカム４とインターロックロッド９の支持点
【手続補正書】
【提出日】平成29年2月14日(2017.2.14)
【手続補正１】
【補正対象書類名】明細書
【補正対象項目名】００１１
【補正方法】変更
【補正の内容】
【００１１】
本発明にかかる鉄道車両用の電力変換装置は、インバータ装置の直流側に昇降圧チョッパ装置を備え、インバータ装置の出力が基準値よりも低いときは、インバータ装置の直流側の電圧を昇降圧チョッパ装置により低下させ、インバータ装置の出力の増加に合わせてインバータ装置の直流側の電圧を昇降圧チョッパ装置により上昇させることで上記課題を解決するものである。
【手続補正２】
【補正対象書類名】明細書
【補正対象項目名】００１６
【補正方法】変更
【補正の内容】
【００１６】
まず本発明の鉄道車両用の電力変換装置の構成について説明する。図１は本発明の第１実施例の構成を示す図である。図１の破線で囲まれた直流電源１は第１のリアクトル２と第１のコンデンサ３で構成されるフィルタ回路を介して昇降圧チョッパ装置４に接続される。昇降圧チョッパ装置４は、直流電源１の電圧を昇圧または降圧して出力する。
【手続補正３】
【補正対象書類名】明細書
【補正対象項目名】００２６
【補正方法】変更
【補正の内容】
【００２６】
次にインバータ装置の構成について説明する。インバータ装置６は、第１の電流制御手段４Ａと同様に構成された第７の電流制御手段６Ａから第１２の電流制御手段６Ｆにより構成される。
【手続補正４】
【補正対象書類名】明細書
【補正対象項目名】００２８
【補正方法】変更
【補正の内容】
【００２８】
第９の電流制御手段６Ｃと第１０の電流制御手段６Ｄ、および第１１の電流制御手段６Ｅと第１２の電流制御手段６Ｆは、第7の電流制御手段６Ａと第８の電流制御手段６Ｂと同様にそれぞれ直列接続され、第９の電流制御手段６Ｃと第１１の電流制御手段６Ｅの高圧側の電源線は昇降圧チョッパ装置４の高圧側と第２のコンデンサ５の接続点に接続され、第１０の電流制御手段６Ｄと第１２の電流制御手段６Ｆの低圧側の電源線は直流電源の低圧側の電源線に接続される。更に、第７の電流制御手段６Ａと第８の電流制御手段６Ｂの接続点と、第９の電流制御手段６Ｃと第１０の電流制御手段６Ｄの接続点と、第１１の電流制御手段６Ｅと第１２の電流制御手段６Ｆの接続点がそれぞれ交流電動機と接続される。